(57)【要約】【課題】複数の空気調和機の送信機能を検査する際に、特別な管理及び設備を用意することなく、各空気調和機の送信機能を誤り無く検査することができる空気調和機検査システムを提供する。【解決手段】熱交換された空気を送風し、空気に関する情報を示す信号を無線で送信する空気調和機１と、空気調和機１により送信された信号を受信する遠隔操作装置２とを備え、送受信された信号に基づいて空気調和機１の送信機能を検査する空気調和機検査システムにおいて、空気調和機１には、乱数を発生する制御部１０ａと、制御部１０ａが発生した乱数を表示する表示部１０ｅと、該乱数の信号を遠隔操作装置２へ送信する送信部１０ｂとを備え、遠隔操作装置２には、送信部１０ｂが送信した信号を受信する受信部２ｃと、受信部２ｃにより受信した信号が示す乱数を表示する表示部２ｄとを備える。【選択図】図１
2007155289.tif 000002
【特許請求の範囲】
【請求項１】
無線で信号を送信する電気機器に乱数を発生させ、
前記電気機器に発生させた乱数を表示させ、
前記電気機器に該乱数の信号を検査装置へ送信させ、
前記検査装置に送信された信号を受信させ、
前記検査装置に受信させた信号が示す乱数を表示させ、
前記電気機器及び前記検査装置が表示した乱数を比較することにより、前記電気機器の送信機能を検査する
ことを特徴とする電気機器検査方法。
【請求項２】
無線で信号を送信する電気機器に乱数を発生させ、
前記電気機器に発生させた乱数の信号を検査装置へ送信させ、
前記検査装置に送信された信号を受信させ、
前記検査装置に受信させた信号を送信させ、
前記電気機器に送信された信号を受信させ、
前記電気機器に受信させた信号が示す乱数、及び前記電気機器に発生させた乱数を比較することにより、前記電気機器に各乱数が一致するか否かを判定させ、
前記電気機器に判定結果を表示させる
ことを特徴とする電気機器検査方法。
【請求項３】
無線で信号を送信する電気機器と、該電気機器により送信された信号を受信する検査装置とを備え、送受信された信号に基づいて前記電気機器の送信機能を検査する電気機器検査システムにおいて、
前記電気機器は、
乱数を発生する乱数発生手段と、
該乱数発生手段により発生した乱数を表示する表示手段と、
該乱数の信号を前記検査装置へ送信する送信手段と
を備え、
前記検査装置は、
前記送信手段が送信した信号を受信する受信手段と、
該受信手段により受信した信号が示す乱数を表示する手段と
を備える
ことを特徴とする電気機器検査システム。
【請求項４】
乱数を発生する乱数発生手段と、
該乱数発生手段により発生した乱数を表示する表示手段と、
該乱数の信号を無線で外部装置へ送信する送信手段と
を備えることを特徴とする電気機器。
【請求項５】
無線で信号を送信する電気機器と、該電気機器により送信された信号を受信する検査装置とを備え、送受信された信号に基づいて前記電気機器の送信機能を検査する電気機器検査システムにおいて、
前記検査装置は、
前記電気機器により送信された信号を受信した場合、該信号を該電気機器へ送信する手段を備え、
前記電気機器は、
乱数を発生する乱数発生手段と、
該乱数発生手段により発生した乱数の信号を前記検査装置へ送信する送信手段と、
前記検査装置により受信及び送信された信号を受信する受信手段と、
該受信手段により受信した信号が示す乱数、及び前記乱数発生手段により発生した乱数を比較することにより、各乱数が一致するか否かを判定する判定手段と、
該判定手段の判定結果を表示する手段と
を備えることを特徴とする電気機器検査システム。
【請求項６】
乱数を発生する乱数発生手段と、
該乱数発生手段により発生した乱数の信号を外部装置へ送信する送信手段と、
外部装置から送信された乱数の信号を受信する受信手段と、
該受信手段により受信した信号が示す乱数、及び前記乱数発生手段により発生した乱数を比較することにより、各乱数が一致するか否かを判定する判定手段と、
該判定手段の判定結果を表示する手段と
を備えることを特徴とする電気機器。
【請求項７】
前記電気機器は空気調和機であり、
前記送信手段は、
空気に関する情報を示す信号を送信する手段を備える
ことを特徴とする請求項３又は請求項５に記載の電気機器検査システム。
【請求項８】
冷媒の循環によって空調するようにしてあり、
前記送信手段は、
空気に関する情報を示す信号を送信する手段を備える
ことを特徴とする請求項４又は請求項６に記載の電気機器。
【発明の詳細な説明】
【技術分野】
【０００１】
本発明は、無線で信号を送信する電気機器の送信機能を検査する電気機器検査方法、該電気機器検査方法を実施するための電気機器検査システム、及び該電気機器検査システムを構成する電気機器に関する。
【背景技術】
【０００２】
図６は、従来の空気調和機検査方法を実施するための空気調和機検査システムのブロック図である。
空気調和機検査システムは、空気調和機２０１、及び空気調和機２０１を遠隔操作すると共に空気調和機２０１の送信機能を検査する検査装置としての遠隔操作装置２から構成されている。
【０００３】
空気調和機２０１は、室内ファン１０ｉ及び室内ファン駆動部１０ｈによる送風強度、風向板１０ｇ及び風向板駆動部１０ｆによる送風方向を制御する制御部１０ａを備えており、制御部１０ａは、遠隔操作装置２の送信部２ｂから送信された遠隔操作信号を受信部１０ｃにて受信し、受信した遠隔操作信号に応じて、送風強度、送風方向などを制御する。また、空気調和機２０１は、室内温度検出器１０ｄが検出した室温を表示する表示部１０ｅを備えている。
【０００４】
遠隔操作装置２は、操作部２ｅの操作に応じた遠隔操作信号の送信を制御する制御部２ａ、空気調和機２０１から送信された信号を受信する受信部２ｃを備えている。空気調和機２０１は、遠隔操作信号に応じて、運転状態、室温等を示す信号を送信部１０ｂから送信し、遠隔操作装置２は、該信号を受信部２ｃで受信する。そして、遠隔操作装置２の制御部２ａは、受信した信号に基づいて、空気調和機２０１の運転状態、室温などを表示部２ｄに表示させる。
【０００５】
また、空気調和機２０１の制御部１０ａは、検査工程において空気調和機２０１の送信機能を検査するための予め固定化された所定データを記憶しており、所定データを送信部１０ｂに与えることによって、所定データの信号Ｄを送信するように構成されている。そして、遠隔操作装置２は、所定データの信号Ｄを受信部２ｃで受信した場合、空気調和機２０１の送信機能に異常がない旨を表示部２ｄに表示する。
【０００６】
このように構成された空気調和機検査システムにおいては、検査工程において、空気調和機２０１に所定データの信号Ｄを遠隔操作装置２へ送信させて、空気調和機２０１の送信機能が正常に動作しているか否かを検査することができる。
【０００７】
図７は、複数の空気調和機２０１、２０３及び遠隔操作装置２から構成された空気調和機検査システムを示すブロック図である。
検査工程において、図７に示すように複数の空気調和機２０１、２０３を検査する場合、検査対象の空気調和機２０１以外の空気調和機２０３から送信された信号を受信し、誤った検査結果が遠隔操作装置２の表示部２ｄに表示される虞がある。
例えば、空気調和機２０１の送信機能を検査する際に、他の空気調和機２０３から送信された信号Ｄを遠隔操作装置２が受信した場合、空気調和機２０１の送信機能に異常があるにも関わらず、空気調和機２０１の送信機能に異常がない旨が表示部２ｄに表示される。
【０００８】
従来、この問題を解決するために、一の空気調和機２０１を検査する際、他の空気調和機２０３から信号Ｄが送信されないように管理しながら、例えば空気調和機２０３から信号Ｄが送信されないように設定して、空気調和機２０１の送信機能を検査していた。また、各空気調和機２０１，２０３から送信された信号Ｄが混信しないように、各空気調和機２０１，２０３を電磁遮蔽する囲いを備えた設備を用意して、空気調和機２０１，２０３の送信機能を検査していた。
【０００９】
なお、特許文献１には、空気調和機本体に有線接続された複数台の遠隔操作装置の主従を、乱数によって決定する空気調和機の制御装置が開示されている。
【特許文献１】特開平１１−３３７１５６号公報
【発明の開示】
【発明が解決しようとする課題】
【００１０】
しかしながら、従来の空気調和機検査方法においては、送信機能の検査工程が複雑であり、又は特別な設備が必要であり、低コストで簡易に空気調和機の送信機能を検査することができないという問題があった。
【００１１】
また、空気調和機に限らず、無線で信号を送信する他の電気機器の送信機能を検査する場合、同様の問題が生じる。
【００１２】
本発明は、斯かる事情に鑑みてなされたものであり、電気機器に乱数を発生させ、該乱数を表示させ、前記乱数の信号を検査装置へ送信させ、検査装置に送信された信号を受信させ、受信した信号が示す乱数を表示させ、電気機器及び検査装置が表示する乱数を比較することで、電気機器の送信機能を検査することにより、複数の電気機器の送信機能を検査する際に、特別な管理及び設備を用意することなく、乱数の比較結果に基づいて各電気機器の送信機能を誤り無く検査することができる電気機器検査方法、該電気機器検査方法を実施するための電気機器検査システム、及び該電気機器検査システムを構成する電気機器を提供することを目的とする。
【００１３】
本発明の他の目的は、電気機器に乱数を発生させ、該乱数の信号を検査装置へ送信させ、検査装置に送信された信号を受信及び送信、つまり返送させ、電気機器に送信された信号を受信させ、受信した信号が示す乱数、及び発生させた乱数を比較させ、比較結果を表示させることで、電気機器の送信機能を検査することにより、複数の電気機器の送受信機能を検査する際に、特別な管理及び設備を用意することなく、表示された比較結果に基づいて各電気機器の送受信機能を誤り無く検査することができる電気機器検査方法、該電気機器検査方法を実施するための電気機器検査システム、及び該電気機器検査システムを構成する電気機器を提供することにある。
【００１４】
本発明の他の目的は、冷媒の循環によって空調するようにしてあり、空気に関する情報を示す信号を送信する電気機器が、乱数を発生し、該乱数の信号を送信するように構成することにより、前記情報を示す信号を送信する電気機器の送信機能を検査することができる電気機器検査システム、及び該電気機器検査システムを構成する電気機器を提供することにある。
【課題を解決するための手段】
【００１５】
本発明に係る電気機器検査方法は、無線で信号を送信する電気機器に乱数を発生させ、前記電気機器に発生させた乱数を表示させ、前記電気機器に該乱数の信号を検査装置へ送信させ、前記検査装置に送信された信号を受信させ、前記検査装置に受信させた信号が示す乱数を表示させ、前記電気機器及び前記検査装置が表示した乱数を比較することにより、前記電気機器の送信機能を検査することを特徴とする。
【００１６】
本発明に係る電気機器検査方法は、無線で信号を送信する電気機器に乱数を発生させ、前記電気機器に発生させた乱数の信号を検査装置へ送信させ、前記検査装置に送信された信号を受信させ、前記検査装置に受信させた信号を送信させ、前記電気機器に送信された信号を受信させ、前記電気機器に受信させた信号が示す乱数、及び前記電気機器に発生させた乱数を比較することにより、前記電気機器に各乱数が一致するか否かを判定させ、前記電気機器に判定結果を表示させることを特徴とする。
【００１７】
本発明に係る電気機器検査システムは、無線で信号を送信する電気機器と、該電気機器により送信された信号を受信する検査装置とを備え、送受信された信号に基づいて前記電気機器の送信機能を検査する電気機器検査システムにおいて、前記電気機器は、乱数を発生する乱数発生手段と、該乱数発生手段により発生した乱数を表示する表示手段と、該乱数の信号を前記検査装置へ送信する送信手段とを備え、前記検査装置は、前記送信手段が送信した信号を受信する受信手段と、該受信手段により受信した信号が示す乱数を表示する手段とを備えることを特徴とする。
【００１８】
本発明に係る電気機器は、乱数を発生する乱数発生手段と、該乱数発生手段により発生した乱数を表示する表示手段と、該乱数の信号を無線で外部装置へ送信する送信手段とを備えることを特徴とする。
【００１９】
本発明に係る電気機器検査システムは、無線で信号を送信する電気機器と、該電気機器により送信された信号を受信する検査装置とを備え、送受信された信号に基づいて前記電気機器の送信機能を検査する電気機器検査システムにおいて、前記検査装置は、前記電気機器により送信された信号を受信した場合、該信号を該電気機器へ送信する手段を備え、前記電気機器は、乱数を発生する乱数発生手段と、該乱数発生手段により発生した乱数の信号を前記検査装置へ送信する送信手段と、前記検査装置により受信及び送信された信号を受信する受信手段と、該受信手段により受信した信号が示す乱数、及び前記乱数発生手段により発生した乱数を比較することにより、各乱数が一致するか否かを判定する判定手段と、該判定手段の判定結果を表示する手段とを備えることを特徴とする。
【００２０】
本発明に係る電気機器は、乱数を発生する乱数発生手段と、該乱数発生手段により発生した乱数の信号を外部装置へ送信する送信手段と、外部装置から送信された乱数の信号を受信する受信手段と、該受信手段により受信した信号が示す乱数、及び前記乱数発生手段により発生した乱数を比較することにより、各乱数が一致するか否かを判定する判定手段と、該判定手段の判定結果を表示する手段とを備えることを特徴とする。
【００２１】
本発明に係る電気機器検査システムは、前記電気機器は空気調和機であり、前記送信手段は、空気に関する情報を示す信号を送信する手段を備えることを特徴とする。
【００２２】
本発明に係る電気機器は、冷媒の循環によって空調するようにしてあり、前記送信手段は、空気に関する情報を示す信号を送信する手段を備えることを特徴とする。
【００２３】
本発明にあっては、電気機器の送信機能を検査する際、検査対象の電気機器は、乱数を発生し、発生した乱数を表示すると共に、該乱数の信号を検査装置へ送信する。検査装置は、電気機器から送信された信号を受信し、受信した信号が示す乱数を表示する。そして、電気機器及び検査装置が表示した乱数を比較する。比較した結果、各乱数が一致した場合、電気機器の送信機能は正常に動作していると判断できる。各乱数が一致しない場合、電気機器の送信機能は正常に動作していないと判断できる。
複数の電気機器の送信機能を検査する際、検査対象と異なる電気機器から送信された信号を検査装置が受信した場合、検査装置は、検査対象の電気機器が表示する乱数とは異なる乱数を表示するため、検査対象の電気機器の通信機能が正常であると誤って判断されることはない。
【００２４】
本発明にあっては、電気機器の送信機能を検査する際、操作対象の電気機器は、乱数を発生し、発生した乱数の信号を検査装置へ送信する。検査装置は、電気機器から送信された信号を受信し、受信した信号を電気機器へ送信する。そして、電気機器は、検査装置から送信された信号を受信し、受信した信号が示す乱数、及び発生した乱数を比較することで、各乱数が一致しているか否かを判定し、各乱数が一致する旨又は一致しない旨の判定結果を表示する。つまり、電気機器は、送信機能が正常に動作している旨、又は送信機能が正常に動作していない旨を表示する。
また、各乱数を比較することで、検査装置の送受信機能、及び電気機器の受信機能も共に検査することができる。
【００２５】
本発明にあっては、電気機器は、冷媒の循環による熱交換によって空調する空気調和機であり、送受信される乱数が一致した場合、空気に関する情報を示す信号を送信する送信手段が正常に動作しており、乱数が一致しない場合、前記情報を示す信号を送信する送信手段が正常に動作していないと判断することができる。
【発明の効果】
【００２６】
本発明に係る電気機器検査方法、電気機器検査システム、及び電気機器によれば、複数の電気機器の送信機能を検査する際に、特別な管理及び設備を用意することなく、各電気機器の送信機能を誤り無く検査することができる。
また、製造される複数の電気機器夫々に異なる所定データを記憶させることなく、簡易に各電気機器の送信機能を検査することができる。
更に、一定の規則性を有する数値を比較する場合に比べて、検査員が先入観によって数値の比較を誤る虞が低く、より確実に電気機器の送信機能を検査することができる。
【００２７】
本発明に係る電気機器検査方法、電気機器検査システム、及び電気機器によれば、複数の電気機器の送信機能を検査する際に、特別な管理及び設備を用意することなく、各電気機器の送信機能及び受信機能を誤り無く検査することができる。
また、検査装置の送信機能及び受信機能も合わせて検査することができる。
【００２８】
本発明に係る電気機器検査システム、及び電気機器によれば、空気に関する情報を示す信号を送信する送信機能を検査することができる。
【発明を実施するための最良の形態】
【００２９】
以下、本発明をその実施の形態を示す図面に基づいて詳述する。
（実施の形態１）
図１は、本発明の実施の形態１に係る空気調和機及び遠隔操作装置からなる空気調和機検査システムを示すブロック図である。
図中１は、室内機１０及び室外機１１からなる空気調和機であり、空気調和機１を遠隔操作する遠隔操作装置２と共に空気調和機検査システムを構成している。遠隔操作装置２は、空気調和機１の送信機能を検査する検査装置を兼ねている。
【００３０】
室内機１０は、遠隔操作装置２から送信された赤外線の信号を受信する受信部１０ｃ、及び制御部１０ａを備えている。受信部１０ｃは、筐体の正面外側に配設されており、赤外線の信号を電気信号に変換するフォトダイオードからなり、受信した信号を制御部１０ａに与える。制御部１０ａは、図示しないＣＰＵ、ＲＡＭ、空気調和機の駆動制御及び乱数を発生させるためのコンピュータプログラムを記憶したＲＯＭ、タイマーなどを備えており、受信部１０ｃで受信した信号に応じて、空気調和機１の駆動制御、空気調和機１の送信機能検査処理などを行う。
【００３１】
また、室内機１０は、室内温度検出器１０ｄ、室内ファン１０ｉ、室内ファン駆動部１０ｈ、及び冷媒にて熱交換を行う室内熱交換器１０ｊを備えている。室内温度検出器１０ｄは、例えばサーミスタであり、室内温度検出器１０ｄが検出した温度は、制御部１０ａに与えられ、制御部１０ａは、与えられた温度に応じて、室内ファン駆動部１０ｈに制御信号を与え、室内ファン１０ｉを駆動させる。室内ファン１０ｉは、モータ及びインペラなどを備えており、駆動した室内ファン１０ｉは、図示しない筐体の上側に形成された吸込口から室内機１０内に空気を吸い込み、室内熱交換器１０ｊで熱交換された空気を、筐体の正面下側に形成された送風口から室内機１０外へ送風する。
【００３２】
更に、室内機１０は、室内ファン１０ｉにより送風される空気の向きを制御するための風向板１０ｇ及び風向板駆動部１０ｆを備えており、制御部１０ａは、風向板駆動部１０ｆに制御信号を与えることで風向板１０ｇを駆動させる。風向板１０ｇは、吸込口で上下に回動する上下風向板、及び左右に回動する複数の左右風向板からなり、空気が任意の方向へ送風されるように構成されている。
【００３３】
更にまた、室内機１０は、室内温度検出器１０ｄが検出した温度、又は空気調和機１の運転状態を示す液晶ディスプレイからなる表示部１０ｅ、及び検出された温度、運転状態、又は空気調和機１の送信機能を検査するための信号を送信する送信部１０ｂを備えている。送信部１０ｂは、筐体の正面外側に配設されていて、赤外線で信号を送信する発光ダイオードを備えている。制御部１０ａは、所定フォーマットにて信号を送信部１０ｂに送信させる。
【００３４】
室外機１１は、例えば屋外に設置されるものであり、冷媒を圧縮する圧縮機１１ａ、室外熱交換器１１ｂ、及びキャピラリチューブ１１ｃを備えており、圧縮機１１ａ、室外熱交換器１１ｂ、キャピラリチューブ１１ｃ、及び室内機１０の室内熱交換器１０ｊは、この順で配管にて接続され、冷媒が循環する冷媒サイクルを構成している。
また、室外機１１は、制御部１０ａに制御される圧縮機駆動部１１ｄ、室外ファン駆動部１１ｅ、及び室外ファン１１ｆを備えている。室外ファン１１ｆは、室外ファン駆動部１１ｅにより駆動され、室外機１１の筐体に形成された図示しない吸込口から熱交換する為の空気を室外機１１内に吸い込み、熱交換された空気を吹出口から吹き出す。
【００３５】
圧縮機１１ａは、制御部１０ａに制御される圧縮機駆動部１１ｄにより駆動されて、冷媒を圧縮する。室外熱交換器１１ｂは、冷房運転の場合、圧縮機１１ａで圧縮された高温・高圧の気体の冷媒ガスを、室外ファン１１ｆによって空冷することで凝縮させる。冷媒ガスの凝縮によって室外熱交換器１１ｂで発生した熱は、室外ファン１１ｆにより室外機１１内に吸い込まれた空気に与えられ、該空気は室外機１１外へ吹き出される。
キャピラリチューブ１１ｃは、室外熱交換器１１ｂからの冷媒を減圧し、減圧された冷媒ガスは、室内熱交換器１０ｊで蒸発する。室内ファン１０ｉにより室内機１０内に吸い込まれた空気は、室内熱交換器１０ｊによって吸熱され、吸熱された空気は、室内機１０外へ吹き出される。冷媒の凝縮及び蒸発によって、室外機１１及び室内機１０における空気が熱交換され、室内の空気が空調される。
また、圧縮機１１ａは、四方弁を備えており、四方弁は、圧縮機１１ａが圧縮した冷媒の流れる方向を、暖房運転／冷房運転に応じて、室内熱交換器１０ｊ側／室外熱交換器１１ｂ側に切り替える。冷媒が、圧縮機１１ａから室内熱交換器１０ｊ側へ循環する場合、室内熱交換器１０ｊ及び室外熱交換器１１ｂは夫々凝縮器及び蒸発器として機能して、空気調和機１は、暖風を室内に送風する。冷媒が、圧縮機１１ａから室外熱交換器１１ｂ側へ循環する場合、室外熱交換器１１ｂ及び室内熱交換器１０ｊは夫々凝縮器及び蒸発器として機能して、空気調和機１は、冷風を室内に送風する。
【００３６】
遠隔操作装置２は、空気調和機１から送信された所定フォーマットの信号を受信する受信部２ｃ、操作部２ｅ、操作部２ｅの操作に応じた遠隔操作信号を送信する送信部２ｂ、並びに、送信部２ｂ及び受信部２ｃによる信号の送受信を制御する制御部２ａを備えている。
【００３７】
また、遠隔操作装置２は、液晶ディスプレイからなる表示部２ｄを備えており、制御部２ａは、室内機１０から送信された信号に基づくデータを表示部２ｄに与えることにより、室温、空気調和機１の状態などを表示部２ｄに表示させる。
【００３８】
図２は、空気調和機検査システムの送信機能検査に係る制御部１０ａ，２ａの処理手順を示すフローチャートである。
遠隔操作装置２の制御部２ａは、検査開始の操作がされた場合、検査の開始を要求する検査開始要求信号を空気調和機１へ送信する（ステップＳ１）。
【００３９】
空気調和機１の制御部１０ａは、受信部１０ｃによる信号の受信を監視しており、遠隔操作装置２から検査開始要求信号が送信された場合、検査開始要求信号を受信する（ステップＳ１１）。
【００４０】
検査開始要求信号を受信した場合、制御部１０ａは、所定桁数の乱数を発生し（ステップＳ１２）、発生した乱数を表示部１０ｅに表示させる（ステップＳ１３）。乱数は、例えば制御部１０ａが記憶している空気調和機１の製造番号、タイマーの計時結果などを初期値として、制御部１０ａが線形漸化法にて発生する。
【００４１】
次いで、制御部１０ａは、ステップＳ１２で発生した乱数の信号を送信部１０ｂに与えることで、乱数の信号を送信させる（ステップＳ１４）。
【００４２】
ステップＳ１の処理を終えた場合、遠隔操作装置２の制御部２ａは、受信部２ｃによる信号の受信を監視しており、空気調和機１から乱数の信号が送信された場合、制御部２ａは、乱数の信号を受信する（ステップＳ２）。そして、制御部２ａは、受信した乱数の信号に基づいて、該信号が示す乱数を表示部２ｄに表示させ（ステップＳ３）、処理を終える。
【００４３】
このように構成された空気調和機検査システムにおいては、遠隔操作装置２にて、検査開始要求信号を空気調和機１へ送信した場合、空気調和機１の制御部１０ａは、乱数を発生し、該乱数を表示部１０ｅに表示すると共に、該乱数の信号を遠隔操作装置２へ送信する。該信号を受信した遠隔操作装置２の表示部２ｄには、該信号が示す乱数が表示される。
従って、空気調和機１の表示部１０ｅに表示された乱数と、遠隔操作装置２の表示部２ｄに表示された乱数とを比較することで、空気調和機１の送信機能を検査することができる。つまり、各乱数が一致している場合、空気調和機１の送信機能が正常に動作していると判断することができ、各乱数が一致していない場合、空気調和機１の送信機能が正常に動作していないと判断することができる。
【００４４】
図３は、複数の空気調和機１、３及び遠隔操作装置２から構成された空気調和機検査システムを示すブロック図である。
一の空気調和機１を検査対象として、空気調和機１の送信機能を検査する場合、他の空気調和機３から送信された信号を遠隔操作装置２にて受信する虞があるが、空気調和機１、３は、別個に異なる乱数を発生させているため、空気調和機１が送信する信号Ｄ１と、空気調和機３が送信する信号Ｄ２とは異なる。
そして、空気調和機１の送信機能に異常があり、信号Ｄ１を送信できず、遠隔操作装置２が、空気調和機３から送信された信号Ｄ２を受信した場合、遠隔操作装置２の表示部２ｄには、空気調和機３で発生した乱数が表示され、空気調和機１の表示部１０ｅには、空気調和機１で発生した乱数が表示される。従って、一の空気調和機１の検査工程で、他の空気調和機３から送信された信号Ｄ２を遠隔操作装置２が受信した場合、一の空気調和機１の表示部１０ｅには、遠隔操作装置２の表示部２ｄに表示された乱数と異なる乱数が表示されるため、一の空気調和機１の送信機能が正常であると誤って判断される虞はない。
このため、複数の空気調和機１，３の送信機能を検査する際に、特別な管理及び設備を用意することなく、各空気調和機１，３の送信機能を誤り無く検査することができる。
【００４５】
また、上述の送信機能を検査するための検査装置として遠隔操作装置２を使用しているため、遠隔操作装置２の受信機能も合わせて検査することができる。
【００４６】
なお、製品組み立て完了以降の検査工程では、空気調和機検査システムを構成することにより、受信部１０ｃを通じて外部より入力された信号で、検査ステップを決定し、夫々のステップで各種センサの値を入力して、取り付け状態を表示部１０ｅで確認し、室内ファン１０ｉ、風向板１０ｇの駆動状態を変化させることも行う。
【００４７】
また、空気調和機の送信機能を検査するために、空気調和機から送信された信号を遠隔操作装置で受信するようにしてあるが、これに限らず前記信号を受信して、該信号が示す乱数を表示することができる機器であれば、遠隔操作装置以外の他の検査装置を用いても良い。
【００４８】
更に、空気調和機の送信機能を検査する空気調和機検査システムを説明したが、無線で信号を送信する他の電気機器に本発明を適用しても良い。
【００４９】
更にまた、実施の形態１では、遠隔操作装置の操作によって、送信機能を開始するように構成してあるが、検査開始のタイミングは、これに限定されない。例えば、室内機に設けられたキーの操作、検査処理を受け付けてから所定時間が経過した時点で、信号の送受信による検査を開始するようにしても良い。
【００５０】
更にまた、実施の形態１では、液晶パネルからなる表示部を説明したが、これに限らず、乱数を表示できるのであれば、他の構成であっても良い。
更にまた、乱数の発生方法として、線形漸化法を説明したが、乱数を発生できるのであれば、乱数の発生方法はこれに限定されず、他の方法で乱数を発生させても良い。
【００５１】
（実施の形態２）
実施の形態２に係る空気調和機検査システムは、送信機能検査に係る制御部１０ａ，２ａの処理手順のみが、実施の形態１に係る空気調和機検査システムと異なるため、以下では主に上記相違点について説明する。
【００５２】
図４は、実施の形態２における空気調和機検査システムの送信機能検査に係る制御部１０ａ，２ａの処理手順を示すフローチャートである。
遠隔操作装置２の制御部２ａは、検査開始の操作がされた場合、検査の開始を要求する検査開始要求信号を送信する（ステップＳ１０１）。
【００５３】
空気調和機１の制御部１０ａは、受信部１０ｃによる信号の受信を監視しており、遠隔操作装置２から検査開始要求信号が送信された場合、検査開始要求信号を受信する（ステップＳ１１１）。
【００５４】
検査開始要求信号を受信した場合、制御部１０ａは、所定桁数の乱数を発生し（ステップＳ１１２）、発生した乱数を表示部１０ｅに表示させる（ステップＳ１１３）。
【００５５】
次いで、制御部１０ａは、ステップＳ１１２で発生した乱数の信号を送信部１０ｂに与えることで、乱数の信号を送信させる（ステップＳ１１４）。
【００５６】
ステップＳ１０１の処理を終えた場合、遠隔操作装置２の制御部２ａは、受信部２ｃによる信号の受信を監視しており、空気調和機１から乱数の信号が送信された場合、乱数の信号を受信する（ステップＳ１０２）。
そして、制御部２ａは、受信した乱数の信号を、再び送信部２ｂに与えることで、該乱数の信号を送信させる（ステップＳ１０３）。
【００５７】
遠隔操作装置２から前記乱数の信号が送信された場合、空気調和機１の制御部１０ａは、前記乱数の信号を受信する（ステップＳ１１５）。そして、制御部１０ａは、ステップＳ１１４及びステップＳ１１５で送受信した乱数、つまりステップＳ１１２で発生した乱数及びステップＳ１１５で受信した乱数が一致しているか否かを判定する（ステップＳ１１６）。
【００５８】
送受信した乱数が一致していると判定した場合（ステップＳ１１６：ＹＥＳ）、制御部１０ａは、送信機能が正常に動作している旨を表示部１０ｅに表示させ（ステップＳ１１７）、処理を終える。送受信した乱数が一致していないと判定した場合（ステップＳ１１６：ＮＯ）、制御部１０ａは、送信機能が正常に動作していない旨を表示部１０ｅに表示させ（ステップＳ１１８）、処理を終える。
【００５９】
実施の形態２に係る空気調和機検査システムの他の構成、作用及び効果は、実施の形態１に係る空気調和機検査システムの構成、作用及び構成と同様であるため、対応する箇所には同様の符号を付して詳細な説明を省略する。
【００６０】
このように構成された空気調和機検査システムにおいては、遠隔操作装置２にて、検査開始要求信号を空気調和機１へ送信した場合、空気調和機１の制御部１０ａは、乱数を発生し、該乱数の信号を遠隔操作装置２へ送信する。遠隔操作装置２は、乱数の信号を受信した場合、該信号を空気調和機１へ送信する。そして、空気調和機１は、遠隔操作装置２から送信された信号が示す乱数と、制御部１０ａが発生した乱数とを比較する。各乱数が一致した場合、制御部１０ａは、空気調和機１の送信機能が正常に動作している旨を表示部１０ｅに表示させ、各乱数が一致していない場合、空気調和機１の送信機能が正常に動作していない旨を表示部１０ｅに表示させる。
【００６１】
図５は、実施の形態２における複数の空気調和機１，３及び遠隔操作装置２から構成された空気調和機検査システムを示すブロック図である。
本発明にあっても、図５に示すように複数の空気調和機１、３の送信機能を検査する際、複数の空気調和機１、３から送信された信号を遠隔操作装置２が受信した場合、各信号を複数の空気調和機１、３へ送信するため、誤って、検査対象の空気調和機１、３の送信機能が正常であると判断される虞はない。
【００６２】
例えば、一の空気調和機１の送信機能に異常があり、信号Ｄ１を送信できず、他の空気調和機３が発生した乱数の信号Ｄ２を遠隔操作装置２へ送信した場合、遠隔操作装置２は、信号Ｄ２を送信し、空気調和機１、３は、信号Ｄ２を受信する。
信号Ｄ２を受信した空気調和機１の表示部１０ｅには、送受信した各乱数が一致しないため、送信機能が正常に動作していない旨が表示される。信号Ｄ２を受信した空気調和機３の表示部には、送受信した各乱数が一致するため、送信機能が正常に動作している旨が表示される。従って、空気調和機１の送信機能が正常であると誤って判断されることはない。
このため、複数の電気機器１，３の送信機能を検査する際に、特別な管理及び設備を用意することなく、各空気調和機１，３の送信機能を誤り無く検査することができる。また、電気機器１，３の受信機能も合わせて検査することができる。
【００６３】
また、上述の送信機能を検査するための検査装置として遠隔操作装置２を使用しているため、遠隔操作装置２の送信機能及び受信機能も合わせて検査することができる。
【図面の簡単な説明】
【００６４】
【図１】本発明の実施の形態１に係る空気調和機及び遠隔操作装置からなる空気調和機検査システムを示すブロック図である。
【図２】空気調和機検査システムの送信機能検査に係る制御部の処理手順を示すフローチャートである。
【図３】複数の空気調和機及び遠隔操作装置から構成された空気調和機検査システムを示すブロック図である。
【図４】実施の形態２における空気調和機検査システムの送信機能検査に係る制御部の処理手順を示すフローチャートである。
【図５】実施の形態２に係る複数の空気調和機及び遠隔操作装置から構成された空気調和機検査システムを示すブロック図である。
【図６】従来の空気調和機検査方法を実施するための空気調和機検査システムのブロック図である。
【図７】複数の空気調和機及び遠隔操作装置から構成された空気調和機検査システムを示すブロック図である。
【符号の説明】
【００６５】
１  空気調和機
２  遠隔操作装置
２ａ  制御部
２ｂ  送信部
２ｃ  受信部
２ｄ  表示部
２ｅ  操作部
１０  室内機
１０ａ  制御部
１０ｂ  送信部
１０ｃ  受信部
１０ｄ  室内温度検出器
１０ｅ  表示部
１０ｆ  風向板駆動部
１０ｇ  風向板
１０ｈ  室内ファン駆動部
１０ｉ  室内ファン
１０ｊ  室内熱交換器
１１  室外機
１１ａ  圧縮機
１１ｂ  室外熱交換器
１１ｃ  キャピラリチューブ
１１ｄ  圧縮機駆動部
１１ｅ  室外ファン駆動部
１１ｆ  室外ファン
【図１】
2007155289.tif 000003
【図２】
2007155289.tif 000004
【図３】
2007155289.tif 000005
【図４】
2007155289.tif 000006
【図５】
2007155289.tif 000007
【図６】
2007155289.tif 000008
【図７】
2007155289.tif 000009